(57)【要約】【課題】ヘッドの個別情報などを記憶可能な情報記憶素子を備える液体吐出記録ヘッドにおいて、情報記憶素子が静電気の影響を受けにくくする。【解決手段】液体吐出記録ヘッドは、液体吐出記録装置の、対応する複数の接点にそれぞれ接続される複数の外部信号入力端子Ｈ１３０２を有し、外部信号入力端子Ｈ１３０２は、周囲より凹となった第１の面Ｈ１３０５と、それより高くなった第２の面Ｈ１３０６に配置されている。液体吐出記録ヘッドに設けられた情報記憶素子に直接的に接続されたＩＤコンタクトパッドＨ１３０２ｄは、第１の面Ｈ１３０５に、第２の面Ｈ１３０６との境界に沿って列状に配置されている。【選択図】図１
2006289893.tif 000002
【特許請求の範囲】
【請求項１】
液体吐出記録装置に着脱可能な液体吐出記録ヘッドであって、
前記液体吐出記録装置に備えられた複数の接点に接触して電気的に接続される複数のコンタクトパッドと、
前記液体吐出記録装置によって読み出し可能な情報を記憶する情報記憶素子とを有し、
前記コンタクトパッドは、外面の一部を構成する、周囲に対して凹となった第１の面と、第１の面より高くなった第２の面とに配置されており、
前記コンタクトパッドは、前記情報記憶素子に直接的に接続された情報出力コンタクトパッドを含み、該情報出力コンタクトパッドは前記第１の面に配置されている液体吐出記録ヘッド。
【請求項２】
前記情報出力コンタクトパッドは、前記第１の面上の、前記第２の面との境界に隣接して配置されている、請求項１に記載の液体吐出記録ヘッド。
【請求項３】
前記第１の面は前記第２の面に挟まれており、前記情報出力コンタクトパッドは、前記第１の面の両側の前記第２の面との境界に隣接して配置されている、請求項１に記載の液体吐出記録ヘッド。
【請求項４】
電力を、液体を吐出させるためのエネルギに変換する記録素子をさらに有し、
前記コンタクトパッドは、前記記録素子に電力を供給するための電源コンタクトパッドおよびグラウンドコンタクトパッドをさらに含み、
前記電源コンタクトパッドおよびグラウンドコンタクトパッドの少なくとも一方が、前記情報出力コンタクトパッドに隣接して配置されている、請求項２または３に記載の液体吐出記録ヘッド。
【請求項５】
電力を、液体を吐出させるためのエネルギに変換する記録素子をさらに有し、
前記コンタクトパッドは、前記記録素子に電力を供給するための電源コンタクトパッドおよびグラウンドコンタクトパッドをさらに含み、
前記情報出力コンタクトパッドは列状に配置されており
前記電源コンタクトパッドと前記グラウンドコンタクトパッドの少なくとも一方が、前記情報出力コンタクトパッドの列に隣接する列を形成している、請求項１から４のいずれか１項に記載の液体吐出記録ヘッド。
【請求項６】
前記記録素子が形成された記録素子基板をさらに有し、
前記情報記憶素子は前記記録素子基板上に形成されている、請求項１から５のいずれか１項に記載の液体吐出記録ヘッド。
【請求項７】
前記情報記憶素子は、前記記録素子基板上の結線の有無により情報を保持する構成を有している、請求項６に記載の液体吐出記録ヘッド。
【請求項８】
前記情報記憶素子は、外部からの電気信号により切断可能なヒューズを有している、請求項６または７に記載の液体吐出記録ヘッド。
【請求項９】
前記情報記憶素子は、抵抗素子の抵抗値に応じた情報を保持する構成を有している、請求項６から８のいずれか１項に記載の液体吐出記録ヘッド。
【請求項１０】
前記コンタクトパッドは、前記記録素子基板に接続された配線基板上に形成されている、請求項６から９のいずれか１項に記載の液体吐出記録ヘッド。
【請求項１１】
液体を吐出させる液体吐出機構部と、該液体吐出機構部に供給する液体を収容する液体収容部とを有する、請求項１から１０のいずれか１項に記載の液体吐出記録ヘッド。
【請求項１２】
請求項１から１１のいずれか１項に記載の液体吐出記録ヘッドと、
該液体吐出記録ヘッドの、複数の前記コンタクトパッドに接続される複数の接点とを有する液体吐出記録装置。
【発明の詳細な説明】
【技術分野】
【０００１】
本発明は、インク等の液体（以下単にインクと称する）を吐出して記録動作を行う液体吐出記録ヘッド（インクジェット記録ヘッド）およびそれを備える液体吐出記録装置（インクジェット記録装置）に関する。本発明は、インクジェット記録ヘッドを利用した一般的なプリント装置のほか、複写機、通信システムを有するファクシミリ、プリント部を有するワードプロセッサ等の装置、あるいは、これらの装置を複合した多機能記録装置等に適用することができる。
【背景技術】
【０００２】
近年、インクジェット記録装置に対して着脱可能なインクジェット記録ヘッドに、自身のＩＤ（Identity）コードやインク吐出機構の駆動特性といったヘッド固有の情報（個別情報）を読み出し自在に保持させることが提案されている。それによって、例えば、インクジェット記録装置側で、装着されたインクジェット記録ヘッドに関する情報を認識し、そのヘッドでのインク吐出に最適な駆動制御を実行するといったことが可能となる。このために、インクジェット記録基板にＲＯＭ（Read Only Memory）を搭載することが知られており、特許文献１には、ＥＥＰＲＯＭ（Electrically Erasable Programmable ROM）を搭載することが開示されている。
【０００３】
上記の他、インクジェット記録ヘッドのインクジェット記録用基板のベース基板に、インク吐出機構などを構成する層膜とともにヘッド固有の情報を示す抵抗を形成する手法も知られている。この場合、インクジェット記録装置側で、ベース基板に形成された抵抗の値を読み込むことで、搭載されたインクジェット記録ヘッドに関する情報を得ることができる。この手法は、情報量が比較的少ない場合有効である。
【０００４】
また、特許文献２には、インクジェット記録用基板を製造するためのベース基板に、インク吐出機構などを構成する層膜を形成するときに、ＲＯＭとして機能するヒューズを同時に形成することが開示されている。このヒューズは、同時に形成したロジック回路などを利用して選択的に溶断され、それによって、二値データが書き込まれ保持される。
【０００５】
また、記録装置に対して着脱可能なインクジェット記録ヘッドの場合、使用者の手が装着時に必ず触れることになり、この際に、ヘッドの、記録装置側との接続用の電気端子に静電気の影響が及ぶことが懸念される。このような静電気からヘッドを保護するための提案として、特許文献３には、インクジェット記録装置本体との電気的接続を行うコンタクトパッドの周囲に放電回路を設けることが開示されている。
【特許文献１】特開平３−１２６５６０号
【特許文献２】特許第３４２８６８３号
【特許文献３】特開平０７−０６０９５３号
【発明の開示】
【発明が解決しようとする課題】
【０００６】
しかしながら、特許文献１に記載されたような、ＲＯＭやＥＥＰＲＯＭなどの情報記憶素子を搭載するインクジェット記録ヘッドにおいては、どうしても装置構成が複雑になるため、生産性の向上や小型軽量化を図るための種々の改善が望まれている。基本的に、ＲＯＭチップは、記録データが大容量の場合は有用であるが、記録データが大容量でない場合には、コスト面で不利になることがあり、この点で改善の余地が残されている。
【０００７】
これに対して、層膜形成工程でヘッド固有の情報を保持する素子を形成する手法によれば、ヘッドの固有情報保持のために、構造が複雑になったり、工程が増えたりするのを抑制できる。このため、個別情報を保持したヘッドを、簡素な構造で、小型軽量なものとし、生産性を損なうことなく、低コストで提供することができる。
【０００８】
このようにして個別情報を記憶可能としたインクジェット記録ヘッドの場合、静電気への配慮が特に重要である。すなわち、インクジェット記録用基板上に設けられた、ヘッド固有の情報を記憶する微細な情報記憶素子は、特に静電気に対して弱く、静電気によって、破壊され、もしくは情報内容が書き換えられてしまうことが危惧される。
【０００９】
特許文献３に記載のインクジェット記録ヘッドにおいては、静電気の影響は回避されるものの、基板上に放電回路を別途設けなければならない。このため、スペース効率の向上、ヘッドの小型化、低コスト化などを図るための種々の改善が望まれている。
【００１０】
以上のことから、本発明の目的は、ヘッドの個別情報などを記憶可能な情報記憶素子を備えながら、簡単な構成を有し、情報記憶素子が静電気の影響を受けにくい液体吐出記録ヘッドおよびそれを備える液体吐出記録装置を提供することにある。
【課題を解決するための手段】
【００１１】
上記目的を達成するため、本発明の液体吐出記録ヘッドは、液体吐出記録装置に着脱可能な液体吐出記録ヘッドであって、液体吐出記録装置に備えられた複数の接点に接触して電気的に接続される複数のコンタクトパッドと、液体吐出記録装置によって読み出し可能な情報を記憶する情報記憶素子とを有し、コンタクトパッドは、外面の、周囲に対して凹となった第１の面と、第１の面より高くなった第２の面とに配置されており、コンタクトパッドは、情報記憶素子に直接的に接続された情報出力コンタクトパッドを含み、情報出力コンタクトパッドは第１の面に配置されていることを特徴とする。
【発明の効果】
【００１２】
本発明によれば、特別な回路を設けることなく、ヘッドの形状に少し工夫を加えることで、ヘッドの着脱時に発生する可能性のある静電気によって情報記憶素子が破壊されたり、情報記憶素子に記憶された情報が書き換えられたりするのを抑制することができる。
【発明を実施するための最良の形態】
【００１３】
次に、本発明の実施形態について図面を参照して説明する。
（第１の実施例）
図３，４に、第１の実施例の記録ヘッド（液体吐出記録ヘッド）Ｈ１００１を示す。
【００１４】
図示の記録ヘッドＨ１００１は、シアン、マゼンタ、イエローの３色のインクを吐出させるものであり、これらのインクの収容部が一体に構成されたインクタンク一体型のものである。この記録ヘッドＨ１００１は、後述するように、インクジェット記録装置本体に搭載されているキャリッジ上に着脱可能に装着され、保持しているインクが消費されて無くなった場合は、新たな記録ヘッドと交換することができる。
【００１５】
記録ヘッドＨ１００１は、図４の分解斜視図に示すように、インク吐出機構を構成する記録素子基板（液体吐出機構部）Ｈ１１０１を有している。記録素子基板Ｈ１１０１は、それに供給されるインクの収容部を蓋部材Ｈ１９０１と共に形成し、また、インク収容部から記録素子Ｈ１１０１へのインク供給路を形成するインク供給保持部材Ｈ１５０１に取り付けられている。また、インク供給保持部材Ｈ１５０１には、記録素子基板Ｈ１１０１とキャリッジとを電気的に接続するための電気配線テープＨ１３０１も取り付けられている。以下、記録ヘッドＨ１００１の、これらの構成要素についてより詳細に説明する。
【００１６】
（１）記録素子基板Ｈ１１０１
図５は、記録素子基板Ｈ１１０１の構成を説明する、一部を破断して示す斜視図である。
【００１７】
この記録素子基板Ｈ１１０１は、インクに膜沸騰を生じさせるための熱エネルギを電気信号に応じて生成する電気熱変換素子（記録素子）Ｈ１１０３を用いたバブルジェット（登録商標）方式のインク吐出機構を構成している。このインク吐出機構は、電気熱変素子Ｈ１１０３と吐出口Ｈ１１０８とが対向するように配置された、いわゆるサイドシュータ型の構成を有している。
【００１８】
記録素子基板Ｈ１１０１は、例えば、厚さ０．５ｍｍ〜１ｍｍのＳｉ基板Ｈ１１１０を有している。Ｓｉ基板Ｈ１１１０には、シアン、マゼンタ、イエロー用の３個のインク供給口Ｈ１１０２が並列して形成されている。インク供給口Ｈ１１０２は長溝状の貫通口であり、Ｓｉの結晶方位を利用した異方性エッチングやサンドブラストなどの方法で形成することができる。
【００１９】
Ｓｉ基板Ｈ１１１０上には、各インク供給口Ｈ１１０２を挟んでその両側に、電気熱変換素子Ｈ１１０３が１列ずつ並べて配置されており、さらに電気熱変換素子Ｈ１１０３に電力を供給するＡｌなどからなる電気配線などを含む電気回路（不図示）が形成されている。これら電気熱変換素子Ｈ１１０３と電気回路は、既存の成膜技術を利用して形成することができる。各列の電気熱変換素子Ｈ１１０３は、互いに千鳥状になるように配列されている。すなわち、各列の電気熱変換素子Ｈ１１０３は、両列の電気熱変換素子Ｈ１１０３が、その列の方向に直交する方向に並ばないように、両列間で少しずれて配置されている。
【００２０】
また、Ｓｉ基板Ｈ１１１０上には、電気回路に外部から電力を供給したり、電気熱変換素子Ｈ１１０３を駆動するための電気信号を外部から供給したりするための電極部Ｈ１１０４が設けられている。電極部Ｈ１１０４は、Ｓｉ基板Ｈ１１１０上の、電気熱変換素子Ｈ１１０３の列の両端側に位置する辺部に沿って配列されている。各電極部Ｈ１１０４にはＡｕなどからなるバンプＨ１１０５が形成されている。
【００２１】
Ｓｉ基板Ｈ１１１０上の、電気変換素子Ｈ１１０３や電気回路が形成された面上には、樹脂材料からなる構造体がフォトリソ技術によって形成されている。この構造体は、インク供給口Ｈ１１０２から各電気熱変換素子Ｈ１１０３上に延びる各インク流路を形成するインク流路壁Ｈ１１０６と、その上方を覆う天井部とを有している。天井部には吐出口Ｈ１１０７が、各電気熱変換素子Ｈ１１０３に対向して設けられており、これによって、各色毎に吐出口群Ｈ１１０８が形成されている。
【００２２】
上記のように構成された記録素子基板Ｈ１１０１では、インク供給口Ｈ１１０２から供給されたインクが、各電気熱変換素子Ｈ１１０３の発熱によって発生した気泡の圧力によって、各電気熱変換素子Ｈ１１０３に対向する吐出口１１０７から選択的に吐出される。
【００２３】
次に、Ｓｉ基板Ｈ１１１０上に形成された回路について、図６の概略図を参照して説明する。
【００２４】
電気熱変換素子Ｈ１１０３の一端には、ＶＨ電源を供給するためのＶＨパッドＨ１１０４ｃがＶＨ配線Ｈ１１１４を介して接続され、他端には、第１の駆動素子Ｈ１１１６が接続されている。第１の駆動素子Ｈ１１１６には、ＧＮＤＨ電源を供給するためのＧＮＤＨパッドＨ１１０４ｄが、ＧＮＤＨ配線Ｈ１１１３を介して接続されている。第１の駆動素子Ｈ１１１６は、インクジェット記録基板外部より信号が入力される信号線から、シフトレジスタ（Ｓ／Ｒ）、ラッチ回路（ＬＴ）、デコーダ、選択回路Ｈ１１１２を経て入力される信号に応じて電気熱変換素子Ｈ１１０３を駆動する。
【００２５】
また、Ｓｉ基板Ｈ１１１０上の回路には、ヘッド固有の情報を保持する情報記憶素子として機能するヒューズＨ１１１７が接続されている。本実施例では、ヒューズＨ１１１７はポリシリコン抵抗体から構成され、インク供給口Ｈ１１０２の短辺側方に４つ配置されている。
【００２６】
各ヒューズＨ１１１７の一端には、ＩＤパッドＨ１１０４ａが接続され、また、読み出し抵抗Ｈ１１１１を介してＩＤ電源パッドＨ１１０４ｂが接続されている。各ヒューズＨ１１１７の他端には、各ヒューズＨ１１１７を選択的に溶断し、またその溶断の有無によって表される情報を選択的に読み出すのに用いられる第２の駆動素子Ｈ１１１８が接続されている。
【００２７】
第２の駆動素子Ｈ１１１８は、電気熱変換素子Ｈ１１０３を駆動する第１の駆動素子Ｈ１１１６に隣接して配置されており、第１の駆動素子Ｈ１１１６への選択信号生成回路と同様な構造の選択信号生成回路が接続されている。本実施例の構成では、第１の駆動素子Ｈ１１１６と第２の駆動素子Ｈ１１１８とで、Ｓ／Ｒ、ＬＴ、デコーダは共用されており、したがって、両者の動作は、外部からの、共通の信号線を介した信号によって同様にコントロールすることができる。また、第２の駆動素子Ｈ１１１８にも、第１の駆動素子Ｈ１１１６と共通のＧＮＤＨ配線Ｈ１１１３が接続されており、すなわち、第１の駆動素子Ｈ１１１６と第２の駆動素子Ｈ１１１８はＧＮＤＨ配線Ｈ１１１３も共用している。
【００２８】
各パッドＨ１１０４ａ〜１１０４ｄ、および駆動素子Ｈ１１１６，１１１８の選択信号生成回路への、外部信号入力用のパッドは、電極部Ｈ１１０４の各バンプＨ１１０５（図５参照）に対応している。
【００２９】
次に、ヒューズＨ１１１７の溶断、およびヒューズＨ１１１７からの情報の読み出しについて説明する。
【００３０】
ヒューズＨ１１１７の溶断時には、ＩＤパッドＨ１１０４ａにヒューズ切断電源が接続され、ヒューズＨ１１１７を溶断可能な電圧（例えば電気熱変換素子の駆動電圧の２４Ｖ）が印加される。そして、選択回路Ｈ１１１２を介して所望の第２の駆動素子Ｈ１１１８を動作させることによって、対応するヒューズＨ１１１７が瞬間的に溶断される。このとき、ヒューズ読み出し用電源端子であるＩＤ電源パッドＨ１１０４ｂはオープンにしておく。
【００３１】
一方、情報の読み出し時には、ＩＤ電源パッドＨ１１０４ｂに読み出し用の電源が接続され、電圧（例えばロジック回路の電源電圧の３．３Ｖ）が印加される。それによって、第２の駆動素子Ｈ１１１８を動作させた際、対応するヒューズＨ１１１７が溶断されていればＨｉレベルが、溶断されていなければ、ヒューズＨ１１１７の抵抗値より明らかに大きな読み出し抵抗Ｈ１１１１のために、Ｌｏレベルが、ＩＤパッドＨ１１０４ａに出力される。
【００３２】
ヘッド固有の情報を保持する情報記憶素子の、他の構成として、上述したヒューズＨ１１１７のかわりに単なる配線をＳｉ基板Ｈ１１１０上に形成し、その配線の有無によって情報を保持するようにしてもよい。この場合、Ｓｉ基板Ｈ１１１０上への配線の形成時に、ヘッド固有の情報に応じて選択的に配線を形成することによって、情報の書き込みを行うことになり、後からの情報の書き込みはできない。情報の読み出しは、上述したヒューズＨ１１１７を用いた場合と全く同様に行うことができる。
【００３３】
さらに他の構成として、Ｓｉ基板Ｈ１１１０上に、ヘッド固有の情報に応じた抵抗値を有する抵抗素子を形成し、その抵抗素子の一端をＩＤパッドＨ１１０４ａに、他端をＧＮＤＨパッドＨ１１０４ｄに接続するようにしてもよい。この場合、インクジェット記録装置本体は、ＩＤパッドＨ１１０４ａとＧＮＤＨパッドＨ１１０４ｄ間の抵抗値を読み取ることで、抵抗値に対応するヘッド固有情報を得ることができる。
【００３４】
いずれにしても、本実施例では、情報記憶素子が、このように、記録素子基板Ｈ１１０１上の回路の一部として形成されているため、情報記憶素子を設けるために、記録ヘッドＨ１００１の構造はほとんど複雑化しない。また、情報記憶素子を構成するヒューズ、配線、抵抗素子などは、Ｓｉ基板Ｈ１１１０上の他の回路と同時に作り込むことができるので、情報記憶素子を形成するために、ほとんど工程の増加を招くこともない。したがって、情報記憶素子を有しながら、簡単な構造で、小型化の容易な記録ヘッドを低コストで提供することができる。
【００３５】
（２）電気配線テープＨ１３０１
再び図３，４を参照すると、電気配線テープＨ１３０１は、記録素子基板Ｈ１１０１の電極部Ｈ１１０４の各バンプＨ１１０５とキャリッジ側の電気接続部とを接続する電気信号経路を形成するものである。この電気信号経路を介して、記録装置本体と記録素子基板Ｈ１１０１との間で、インクを吐出するための電気信号や、上述のようなヘッド固有情報の読み出しのための電気信号が伝達される。電気配線テープＨ１３０１は、例えば、ポリイミド製のベース基材上に銅箔の配線パターンを形成することで構成されている。
【００３６】
電気配線テープＨ１３０１の一端側には、記録素子基板Ｈ１１０１のインク吐出面を露出させる開口部Ｈ１３０３が形成されている。開口部Ｈ１３０３の縁付近には、記録素子基板Ｈ１１０１の電極部Ｈ１１０４に接続される電極端子Ｈ１３０４が形成されている。電気配線テープＨ１３０１と記録素子基板Ｈ１１０１とは、例えば、記録素子基板Ｈ１１０１の電極部Ｈ１１０４に形成されたバンプＨ１１０５と、それらにそれぞれ対応する電気配線テープＨ１３０１の電極端子Ｈ１３０４とが熱超音波圧着法により電気接合されることによって電気的に接続されている。
【００３７】
電気配線テープＨ１３０１の他端側には、本体装置のキャリッジの電気接続部に接続される複数の外部信号入力端子（コンタクトパッド）Ｈ１３０２が形成されている。外部信号入力端子Ｈ１３０２が形成された部分は、インク供給保持部材Ｈ１５０１の側面の、面Ｈ１５０２とＨ１５０３とで段差が生じた部分に取り付けられることによって、周囲より凹んだ第１の面Ｈ１３０５と、第１の面Ｈ１３０５と平行で第１の面Ｈ１３０５より外部に向かって高くなった第２の面Ｈ１３０６を形成している。外部信号入力端子Ｈ１３０２と電極端子Ｈ１３０４は連続した銅箔の配線パターンでつながれている。
【００３８】
（３）インク供給保持部材Ｈ１５０１
インク供給保持部材Ｈ１５０１は、例えば、樹脂成形により形成されている。樹脂材料には、形状的剛性を向上させるためにガラスフィラーを５〜４０％混入した樹脂材料を使用することが望ましい。
【００３９】
このインク供給保持部材Ｈ１５０１は、インクタンク機能とインク供給機能を備えている。すなわち、インク供給保持部材Ｈ１５０１は、図４に示すように、シアン、マゼンタ、イエローのインクを保持するための負圧を発生するインク吸収体Ｈ１６０１，Ｈ１６０２，Ｈ１６０３を内部にそれぞれ独立して保持するための空間（液体収容部）を有することでインクタンク機能を実現している。また、インク供給保持部材Ｈ１５０１は、これらの、インク吸収体１６０１，Ｈ１６０２，Ｈ１６０３を保持する独立した空間から記録素子基板Ｈ１１０１の各インク供給口Ｈ１１０２にそれぞれインクを導くための独立したインク流路を形成することでインク供給機能を実現している。
【００４０】
インク吸収体Ｈ１６０１、Ｈ１６０２、Ｈ１６０３は、例えば、ＰＰ（ポリプロピレン）繊維を圧縮したものであるが、これに替えてウレタン繊維を圧縮したものを用いてもよい。インク供給保持部材Ｈ１５０１内の各インク流路の上流に位置するインク吸収体Ｈ１６０１、Ｈ１６０２、Ｈ１６０３と各インク流路との境界部には、記録素子基板Ｈ１１０１内部へのゴミの進入を防ぐためのフィルタＨ１７０１，Ｈ１７０２，Ｈ１７０３が設けられている。フィルタＨ１７０１，Ｈ１７０２，Ｈ１７０３は、それぞれ溶着によりインク供給保持部材Ｈ１５０１に接合されている。フィルタＨ１７０１、Ｈ１７０２、Ｈ１７０３は、ＳＵＳ（ステンレス）金属メッシュタイプでもよいが、ＳＵＳ金属繊維焼結タイプの方がより好ましい。
【００４１】
インク供給保持部材Ｈ１５０１内のインク流路の下流側には、記録素子基板Ｈ１１０１にシアン、マゼンタ、イエローの各インクを供給するためのインク供給口Ｈ１２０１が形成されている。記録素子基板Ｈ１１０１は、その各インク供給口Ｈ１１０２がインク供給保持部材Ｈ１５０１の各インク供給口Ｈ１２０１に連通するように、インク供給保持部材Ｈ１５０１に対して位置精度良く接着固定されている。この接着に用いられる第１の接着剤は、低粘度で硬化温度が低く、短時間で硬化し、硬化後は、比較的高い硬度を有し、かつ、耐インク性のあるものが望ましい。このような第１の接着剤としては、例えば、エポキシ樹脂を主成分とした熱硬化接着剤がある。この熱硬化接着剤を用いた場合、その接着層の厚みは５０μｍ程度とするのが望ましい。
【００４２】
また、インク供給口Ｈ１２０１が形成された面の周囲の、少し高くなった平面には、電気配線テープＨ１３０１の裏面の、開口部Ｈ１３０３の周囲の部分が第２の接着剤により接着固定されている。記録素子基板Ｈ１１０１と電気配線テープＨ１３０１との電気接続部分は、図７に示すように、第１の封止剤Ｈ１３０７および第２の封止剤Ｈ１３０８により封止されている。これにより電気接続部分はインクによる腐食や外的衝撃から保護されている。第１の封止剤Ｈ１３０７は、電気配線テープＨ１３０１の裏面側で、主に、電気配線テープＨ１３０１の電極端子Ｈ１３０４と記録素子基板Ｈ１１０１のバンプＨ１１０５との接続部周囲において、記録素子基板Ｈ１１０１外周部分を封止し、第２の封止剤Ｈ１３０８は、その接続部の表側を封止している。そして、電気配線テープＨ１３０１の、開口部Ｈ１３０３が形成された側の端部部分から延びる部分は、折り曲げられ、インク供給保持部材Ｈ１５０１のインク供給口Ｈ１２０１を有する面にほぼ直交した側面の、面Ｈ１５０２とＨ１５０３とで段差になった部分に熱カシメや接着等で固定されている。
【００４３】
また、インク供給保持部材Ｈ１５０１には、記録ヘッドＨ１００１をキャリッジに搭載するのに利用される構造部が設けられている。すなわち、記録ヘッドＨ１００１の、記録素子基板Ｈ１１０１が取り付けられた部分付近には、インク供給保持部材Ｈ１５０１の一縁に沿う方向に突出した装着ガイドＨ１５６０が設けられている。また、精度良く所定の位置にくるように形成された、Ｘ方向（キャリッジスキャン方向）の突き当て部Ｈ１５７０、Ｙ方向（記録媒体の搬送方向）の突き当て部Ｈ１５８０、およびＺ方向（インク吐出方向）の突き当て部Ｈ１５９０が設けられている。
【００４４】
（４）蓋部材Ｈ１９０１
蓋部材Ｈ１９０１は、インク供給保持部材Ｈ１５０１の上部開口部に溶着されることで、インク供給保持部材Ｈ１５０１内部の独立した空間をそれぞれ閉塞するものである。但し、蓋部材Ｈ１９０１にはインク供給保持部材Ｈ１５０１内部の各部屋の圧力変動を逃がすための細口Ｈ１９１１、Ｈ１９１２、Ｈ１９１３と、これらにそれぞれ一端部が連通した微細溝Ｈ１９２１、Ｈ１９２２、Ｈ１９２３が形成されている。微細溝Ｈ１９２１、Ｈ１９２２の他端は、微細溝Ｈ１９２３の途中に合流している。さらに、微細溝Ｈ１９２３のほとんどと、細口Ｈ１９１１、Ｈ１９１２、Ｈ１９１３と微細溝Ｈ１９２１、Ｈ１９２２の全部とはシール部材Ｈ１８０１で覆われている。微細溝Ｈ１９２３の他端部は、シール部材１８０１から露出しており、それによって大気連通口Ｈ１９２５を形成している。また、蓋部材Ｈ１９０１は、記録ヘッドＨ１００１をインクジェット記録装置に固定するのに利用される係合部Ｈ１９３０を有している。
【００４５】
次に、上述した記録ヘッドＨ１００１の、インクジェット記録装置への装着について説明する。
【００４６】
記録ヘッドＨ１００１は、装着ガイドＨ１５６０をキャリッジの対応部に当接させて、キャリッジの、所定の装着位置に容易に導くことができる。記録ヘッドＨ１００１がキャリッジの装着位置に達すると、各突き当て部Ｈ１５７０，Ｈ１５８０，Ｈ１５９０がキャリッジの、対応する位置基準部に突き当たる。それによって、記録ヘッドＨ１００１は、所定の装着位置に精度良く位置決めされる。そして、キャリッジ側の固定レバーを記録ヘッドＨ１００１の係合部Ｈ１９３０に係合するように動かすことによって、記録ヘッドＨ１００１はキャリッジに固定される。
【００４７】
このように、記録ヘッドＨ１００１がキャリッジの所定の装着位置に位置精度良く固定されることによって、電気配線テープＨ１３０１の外部信号入力端子Ｈ１３０２とキャリッジに設けられた電気接続部のコンタクトピンとが正確に接触させられ、電気的に接続される。
【００４８】
＜インクジェット記録装置＞
次に、上述したような記録ヘッドＨ１００１を搭載可能な一例のインクジェット記録装置について図８を参照して説明する。
【００４９】
この記録装置は、図３に示したのと同様の２つの記録ヘッドＨ１００１ａ，Ｈ１００１ｂが位置決めされて交換可能に搭載されるキャリッジ１０２を有する。記録ヘッドＨ１００１ａ，Ｈ１００１ｂは、例えば、一方がシアン、マゼンタ、イエローの３色のインクの吐出用、他方がブラックのインクの吐出用であってよい。ブラックのインクのみの吐出用の記録ヘッドは、単一のインク吸収体を収容し、単一のインク供給口、吐出口群を備える記録素子基板を組み込んだものとして構成することができる。
【００５０】
図示していないが、キャリッジ１０２には、記録ヘッドＨ１００１ａおよびＨ１００１ｂ上の外部信号入力端子Ｈ１３０２と接続される電気接続部が設けられている。この電気接続部は、互いに平行な第１の面Ｈ１３０５と第２の面Ｈ１３０６に配列されている各外部信号入力端子Ｈ１３０４に接触するように、第１、第２の面Ｈ１３０５，Ｈ１３０６に整合する段差を有する面に配置されている。また、キャリッジ１０２には、各記録ヘッドの装着ガイドＨ１５６０の案内部、各突き当て部Ｈ１５７０，Ｈ１５８０，Ｈ１５９０に対応する位置基準部、係合部Ｈ１９３０に当接させることができる固定レバーなどが設けられている。
【００５１】
キャリッジ１０２は、主走査方向に延在して装置本体に設置されたガイドシャフト１０３に沿って往復移動可能に支持されている。キャリッジ１０２には、主走査モータ１０４に連結されたモータプーリ１０５と従動プーリ１０６に支持されたタイミングベルト１０７が連結されている。キャリッジ１０２は、主走査モータ１０４によって往復駆動され、その位置および移動を制御される。また、キャリッジ１０２には、キャリッジ１０２の移動経路の所定の位置に配置された遮蔽板１３６を検知するホームポジションセンサ１３０が設けられている。ホームポジションセンサ１３０が遮蔽板１３６上にくる位置が、キャリッジ１０２のホームポジションとなる。
【００５２】
また、記録装置は、印刷用紙やプラスチック薄板等の記録媒体１０８を一枚ずつ分離して給紙するオートシートフィーダ（ＡＳＦ）１３２を有している。ＡＳＦ１３２は、給紙モータ１３５によってギアを介して回転駆動されるピックアップローラ１３１を有している。
【００５３】
ＡＳＦ１３２の後には、ＬＦモータ１３４によってギアを介して回転駆動される搬送ローラ１０９が設けられている。搬送ローラ１０９は、記録媒体１０８を、記録ヘッドＨ１００１ａ及びＨ１００１ｂの吐出口面と対向する位置（プリント部）を通って搬送（副走査）することができる。記録媒体１０８の搬送経路には、記録媒体１０８の端部の位置を検出するペーパエンドセンサ１３３が設けられている。記録媒体１０８が給紙されたかどうかの判定や、給紙時の頭出し位置の確定などが、記録媒体１０８がペーパエンドセンサ１３３を通過したかどうかを示す検出信号によって行われる。このペーパエンドセンサ１３３は、記録媒体１０８の後端が実際にどこに有るかを算出したり、実際の後端の位置から現在の記録位置を最終的に割り出したりするのにも使用することができる。
【００５４】
プリント部には、記録媒体１０８のプリント面がプリント部において平坦に位置するように、記録媒体１０８の裏面を支持する不図示のプラテンが設けられている。記録ヘッドＨ１００１ａ及びＨ１００１ｂは、それらの吐出口面がキャリッジ１０２から下方へ突出し、プラテン上の記録媒体１０８のプリント面に平行になるようにキャリッジ１０２に保持される。また、記録ヘッドＨ１００１ａおよびＨ１００１ｂの各吐出口群Ｈ１１０８における吐出口Ｈ１１０７の並び方向は、キャリッジ１０２の走査方向に対して交差する方向になっている。
【００５５】
この記録装置による記録動作では、まず、セットされた記録媒体１０８がＡＳＦ１３２によって給紙され、搬送ローラ１０９によって搬送されて、記録媒体１０８の所望の位置のプリント面がプリント部に配置される。次に、キャリッジ１０２が往復移動させられ、この際、所望の記録画像に応じた所定のタイミングで各記録ヘッド１００１ａ，Ｈ１００１ｂが駆動され、各吐出口Ｈ１１０７から選択的にインクが吐出される。これによって、記録媒体１０８の、所定の幅の領域に画像が記録される。その後、記録媒体１０８の位置が搬送ローラ１０９によって所定量だけずらされ、再び所定幅の画像記録が行われ、これが繰り返されて、記録媒体１０８の所望の領域に所望の画像が記録される。
【００５６】
この記録装置は、例えば、通常の画質の記録を行う場合に用いる記録ヘッドＨ１００１ａ，Ｈ１００１ｂの一方を、これらと同等の構成で、ライトマゼンタ、ライトシアン、ブラックのインクを吐出する記録ヘッドに交換することによって、通常の画質の記録と、高画質のフォト画像の記録とを適宜切り換えて行う運用をすることも可能である。
【００５７】
次に、図１，２を参照して、本実施例の記録ヘッドＨ１００１における、ヘッド固有の情報を記憶する情報記憶素子の静電気対策について説明する。
【００５８】
図１は、記録ヘッドＨ１００１における外部信号入力端子Ｈ１３０２が設けられた部分を拡大して示している。同図を参照すると、電気配線テープＨ１３０１には、３２個の外部信号入力端子Ｈ１３０２が設けられており、そのうち１７個の外部信号入力端子Ｈ１３０２は外部に対し相対的に凹の第１の面Ｈ１３０５上に、残りの１５個の外部信号入力端子は第２の面Ｈ１３０６上に配置されている。第１の面Ｈ１３０５は、第２の面Ｈ１３０６に対して、図中下方に位置している。
【００５９】
これら外部信号入力端子Ｈ１３０２のうち６個はＩＤコンタクトパッド(情報出力コンタクトパッド)Ｈ１３０２ａであり、これらは第１の面Ｈ１３０５上の、図中最上部に、第２の面Ｈ１３０６との境界に沿って配置されている。これらＩＤコンタクトパッドＨ１３０２ａは、図６に示したヒューズＨ１１１７（または単なる結線や抵抗素子でもよい）とつながっているＩＤパッドＨ１１０４ａに各々接続されている。したがって、ＩＤコンタクトパッドＨ１３０２ａは、情報記憶素子に、他の素子を介さず直接的に接続されている。
【００６０】
外部信号入力端子Ｈ１３０２のうち、他の６個はＧＮＤＨコンタクトパッド（グラウンドコンタクトパッド）Ｈ１３０２ｄであり、これらは、ＩＤコンタクトパッドＨ１３０２ａの列に対して図中下方に隣接する列を形成している。これらＧＮＤＨコンタクトパッドＨ１３０２ｄは、図６に示したＧＮＤＨパッドＨ１１０４ｄに接続されている。
【００６１】
また、６個のＶＨコンタクトパッド（電源コンタクトパッド）Ｈ１３０２ｃの列が、ＩＤコンタクトパッドＨ１３０２ａの列に隣接して、第２の面Ｈ１３０６上の図中最下部に、したがって第１の面Ｈ１３０５との境界に沿って列状に並んで位置している。これらＶＨコンタクトパッドＨ１３０２ｃは、図６に示したＶＨパッドＨ１１０４ｃに接続されている。
【００６２】
ＩＤコンタクトパッドＨ１３０２ａ、ＶＨコンタクトパッドＨ１３０２ｃ、およびＧＮＤＨコンタクトパッド（グラウンドコンタクトパッド）Ｈ１３０２ｄを除く残りの外部信号入力端子Ｈ１３０２は、トランジスタ電源供給用や制御信号用等、その他の用途に使用される。
【００６３】
記録ヘッドＨ１１０１は、前述したように、保持しているインクが無くなった時に新しいものと交換する場合、あるいは、通常の画質の画像記録用のものと、フォト画像記録用のものとを交換する場合に、使用者の手に触れることになる。この際、図２に示すように、使用者が、帯電した指１０１を不用意に外部入力端子Ｈ１３０２の部分に近づけてしまうことが考えられる。
【００６４】
本実施例の記録ヘッドＨ１１０１では、電気熱変換素子Ｈ１１０３などの他の素子に比べて比較的静電気に弱い情報記憶素子を構成するヒューズＨ１１１７に接続されたＩＤコンタクトパッドＨ１３０２ａが、周囲に対して一段低くなった第１の面Ｈ１３０５上に配列されている。したがって、使用者が上記のように、指１０１を外部入力端子Ｈ１３０２の部分に近づけたとしても、指１０１がＩＤコンタクトパッドＨ１３０２ａに直接触れにくくなっている。また、特に、ＩＤコンタクトパッドＨ１３０２ａが、第１の面Ｈ１３０５と第２の面Ｈ１３０６の境界に沿う位置にあるため、両面の段差によって、指１０１がＩＤコンタクトパッドＨ１３０２ａに触れるのを効果的に抑制することができる。このように指１０１がＩＤコンタクトパッドＨ１３０２ａに触れないようにすることによって、ＩＤコンタクトパッドＨ１３０２ａを介して、ヒューズＨ１１０１に静電気の影響が及ぶのを抑制することができる。
【００６５】
加えて、ＩＤコンタクトパッドＨ１３０２ａは、ＶＨコンタクトパッドＨ１３０２ｃ及びＧＮＤＨコンタクトパッドＨ１３０２ｄに隣接しており、しかもそれらコンタクトパッドの間に挟まれているので、帯電した指１０１がＩＤコンタクトパッドＨ１３０２ａに接近して放電が発生する場合でも、この放電は、ＶＨコンタクトパッドＨ１３０２ｃ及びＧＮＤＨコンタクトパッドＨ１３０２ｄの方に起こりやすい。それによって、ヒューズＨ１１０１に静電気の影響が及ぶのを抑制することができる。放電がＶＨコンタクトパッドＨ１３０２ｃ及びＧＮＤＨコンタクトパッドＨ１３０２ｄ側に起こりやすい理由としては、これらが各電気熱変換体Ｈ１１０３に電力を供給するように構成されたものであり、構成上、電気が比較的流れやすいこと、これらのパッドの配置上、ＩＤコンタクトパッドＨ１３０２ａよりも指の表面に近い位置にきやすいことが挙げられる。
【００６６】
このように、本実施例によれば、静電気の影響が、ヘッド固有情報を記憶する情報記憶素子に及ぶのを抑制することができ、それによって、静電気のために情報記憶素子が破壊されたり、情報記憶素子に記憶されているヘッド固有情報が書き換えられたりするのを抑制することができる。本実施例の構成では、このように、情報記憶素子を静電気から保護するのに、特別な回路を形成することがなく、記録ヘッドＨ１００１の複雑化や、その製造工程の増加などをほとんど招くことがない。したがって、本実施例によれば、簡単な構成でありながら、情報記憶素子が静電気の影響を受けにくい記録ヘッドＨ１００１を提供することができる。
【００６７】
（実施例２）
本発明の第２の実施例の記録ヘッドについて図９および図１０を参照して説明する。図１０は本実施例の記録ヘッドＨ１００１の全体を示しており、図９は、外部信号入力端子部を拡大したものである。この記録ヘッドＨ１００１は、外部信号入力端子部の形状のみが第１の実施例と異なっており、記録素子基板などの他の構成は第１の実施例のものと同等であってよい。
【００６８】
図９を参照すると、本実施例では、電気配線テープＨ１３０１上の３２個の外部信号入力端子Ｈ１３０２のうち、６個のＩＤコンタクトパッドＨ１３０２ａが、外部に対し相対的に凹の第１の面Ｈ１３０５上に、残りの２６個の外部信号入力端子が第２の面Ｈ１３０６上に配置されている。６個のＩＤコンタクトパッドＨ１３０２ａに図中上下に隣接して、第２の面Ｈ１３０６上に、それぞれ６個のＧＮＤＨコンタクトパッドＨ１３０２ｄ及び６個のＶＨコンタクトパッドＨ１３０２ｃの列が配置されている。
【００６９】
本実施例の記録ヘッドＨ１００１では、比較的静電気に弱い情報記憶素子を構成するヒューズＨ１１１７（または結線や抵抗素子）に接続されたＩＤコンタクトパッドＨ１３０２ａが、周囲に比べて一段低くなった第１の面Ｈ１３０５上に配列されており、かつ両側に隣接するコンタクトパッド列は、一段高い第２の面Ｈ１３０６上に配列されている構造となっている。このため、使用者がこの記録ヘッドＨ１００１を手にした時、ＩＤコンタクトパッドＨ１３０２ａに触れるのを、さらに効果的に抑制することができる。
【００７０】
加えて、ＩＤコンタクトパッドＨ１３０２ａには、ＶＨコンタクトパッドＨ１３０２ｃ及びＧＮＤＨコンタクトパッドＨ１３０２ｄが隣接しているため、使用者の帯電した指が不用意にＩＤコンタクトパッドＨ１３０２ａに接近して、放電が生じた場合でも、この放電は、ＶＨコンタクトパッドＨ１３０２ｃ及びＧＮＤＨコンタクトパッドＨ１３０２ｄの方に起こりやすく、ＩＤコンタクトパッドＨ１３０２ａ側には起こりにくい。
【００７１】
このように、本実施例によれば、静電気の影響が情報記憶素子に及ぶのを抑制し、静電気による情報記憶素子の破壊や情報記憶素子に記憶されたヘッド固有情報の書き換えを抑制することができる。
【００７２】
（第３の実施例）
本発明の第３の実施例の記録ヘッドについて図１１および図１２を参照して説明する。図１２は本実施例の記録ヘッドＨ１００１の全体を示しており、図１１は、外部信号入力端子部を拡大したものである。この記録ヘッドＨ１００１は、外部信号入力端子部の形状のみが第１、第２の実施例と異なっており、記録素子基板などの他の構成は第１の実施例のものと同等であってよい。
【００７３】
図１１を参照すると、電気配線テープＨ１３０１上の３２個の外部信号入力端子Ｈ１３０２のうち、１６個の外部信号入力端子Ｈ１３０２は外部に対し相対的に凹の第１の面Ｈ１３０５上に、残りの１６個の外部信号入力端子は第２の面Ｈ１３０６上に配置されている。第１の面Ｈ１３０５は、第２の面Ｈ１３０６に対して、図中上方に位置している。
【００７４】
これら外部信号入力端子Ｈ１３０２のうち、６個のＩＤコンタクトパッドＨ１３０２ａは第１の面Ｈ１３０５上の、図中最下部に、したがって第２の面Ｈ１３０６との境界に沿って配置されている。このＩＤコンタクトパッドＨ１３０２ａの列に隣接して、図中上方には６個のＶＨコンタクトパッドＨ１３０２ｃの列、図中下方には６個のＧＮＤＨコンタクトパッドＨ１３０２ｄの列が配置されている。したがって、ＧＮＤＨコンタクトパッドＨ１３０２ｄの列は、第２の面Ｈ１３０６上の、図中最上部に、第１の面Ｈ１３０５との境界に沿って位置している。
【００７５】
本実施例では、第１の実施例と同様、比較的静電気に弱い、情報記憶素子を構成するヒューズＨ１１１７（または結線や抵抗素子）に接続されたＩＤコンタクトパッドＨ１３０２ａが、周囲に比べて一段低くなった第１の面Ｈ１３０５上に配列されているため、使用者がこの記録ヘッドＨ１００１を手にした場合、ＩＤコンタクトパッドＨ１３０２ａに触れにくくなっている。加えて、ＩＤコンタクトパッドＨ１３０２ａの列が、隣接するＶＨコンタクトパッドＨ１３０２ｃ及びＧＮＤＨコンタクトパッドＨ１３０２ｄの列に挟まれているので、使用者の帯電した指が不用意にＩＤコンタクトパッドＨ１３０２ａに接近して放電が発生した場合でも、この放電はＶＨコンタクトパッドＨ１３０２ｃ及びＧＮＤＨコンタクトパッドＨ１３０２ｄの方に起こりやすく、ＩＤコンタクトパッドＨ１３０２ａ側には起こりにくい。したがって、本実施例によれば、静電気による情報記憶素子の破壊や情報記憶素子に記憶されたヘッド固有情報の書き換えを抑制することができる。
【００７６】
以上説明した各実施例は、本発明の一例であって、その構成は、本発明の趣旨を逸脱しない範囲で適宜変更することができる。例えば、上述の説明では、サイドシュータ型の記録ヘッドを例に挙げているが、本発明はこれに限定されるものではなく、吐出口が電気熱変換素子の形成面に対して交差する面上に形成された、いわゆるエッジシュータ型の記録ヘッドに対しても、本発明は問題なく適用可能である。また、本発明は、バブルジェット（ＢＪ）方式や、インク吐出過程において、インク中に生成された気泡が大気に連通するＢＴＪ（バブルスルージェット）方式の他、種々のインク吐出方式を採用したインクジェット記録ヘッドへの適用が可能である。
【図面の簡単な説明】
【００７７】
【図１】本発明の第１の実施例のインクジェット記録ヘッドの外部信号入力端子部を示す図である。
【図２】図１のインクジェット記録ヘッドに使用者の指が近付く様子を示す図である。
【図３】図１のインクジェット記録ヘッドの全体を示す斜視図であり、（ａ）は記録素子基板側から、（ｂ）は蓋部材側から見た図である。
【図４】図１のインクジェット記録ヘッドの分解斜視図である。
【図５】図１のインクジェット記録ヘッドの記録素子基板を、一部を破断して示す斜視図である。
【図６】図５の記録素子基板上に形成された回路の模式図である。
【図７】図１のインクジェット記録ヘッドの、電気配線テープと記録素子基板の接続部を示す断面図である。
【図８】図１のインクジェット記録ヘッドを搭載可能な一例のインクジェット記録装置を示す模式図である。
【図９】本発明の第２の実施例のインクジェット記録ヘッドの外部信号入力端子部を示す図である。
【図１０】図９のインクジェット記録ヘッドの全体を示す斜視図であり、（ａ）は記録素子基板側から、（ｂ）は蓋部材側から見た図である。
【図１１】本発明の第３の実施例のインクジェット記録ヘッドの外部信号入力端子部を示す図である。
【図１２】図１１のインクジェット記録ヘッドの全体を示す斜視図であり、（ａ）は記録素子基板側から、（ｂ）は蓋部材側から見た図である。
【符号の説明】
【００７８】
Ｈ１００１    記録ヘッド（液体吐出記録ヘッド）
Ｈ１１１７    ヒューズ（情報記憶素子の構成要素）
Ｈ１３０２    外部信号入力端子（コンタクトパッド）
Ｈ１３０５    第１の面
Ｈ１３０６    第２の面
Ｈ１３０２ａ    ＩＤコンタクトパッド（情報出力コンタクトパッド）
【図１】
2006289893.tif 000003
【図２】
2006289893.tif 000004
【図３】
2006289893.tif 000005
【図４】
2006289893.tif 000006
【図５】
2006289893.tif 000007
【図６】
2006289893.tif 000008
【図７】
2006289893.tif 000009
【図８】
2006289893.tif 000010
【図９】
2006289893.tif 000011
【図１０】
2006289893.tif 000012
【図１１】
2006289893.tif 000013
【図１２】
2006289893.tif 000014